(57)【要約】【課題】  ユーザが外部接続端子の入出力切換の操作を敢えて行わなくてもよいようにする。【解決手段】  操作部１０又はリモコン１１からの選択指示に応じてチューナ２により取り込まれた所定の放送チャンネルの映像音声情報、又は外部接続端子（Ａ）３、外部接続端子（Ｂ）４のいずれかに接続された電子機器からの映像音声情報を出力部８から出力するようにし、さらに制御部９により、操作部１０又はリモコン１１からのチューナ２又は他の電子機器の選択指示に応じてセレクタ６によるチューナ２及び他の電子機器のいずれかを選択する選択動作と、入出力切換部５による外部接続端子（Ａ）３の入出力を切り換える入出力切換動作とを制御するようにする。【選択図】  図１
2006020094.tif 000002
【特許請求の範囲】
【請求項１】
放送信号を受信して所定の放送チャンネルの映像音声情報を取り込む受信手段と、
外部の電子機器を接続することによりその電子機器との間で映像音声情報を伝送する外部接続端子と、
前記受信手段又は前記外部接続端子のいずれかを選択するための選択操作手段と、
前記選択操作手段による選択操作に応じ前記受信手段又は前記外部接続端子を選択制御する選択手段と、
前記選択手段によって選択された受信手段又は外部接続端子に入力された信号を処理する信号処理手段と、
信号処理された映像音声情報を出力するための出力手段とを有した
テレビジョン装置において、
前記外部接続端子に接続された前記電子機器へ映像音声情報を出力する出力状態と前記電子機器からの映像音声情報を入力する入力状態のいずれかの状態に前記外部接続端子を切り換える入出力切換手段と、
前記選択手段が前記受信手段又は前記外部接続端子のいずれかを選択したかに応じ、前記入出力切換手段による前記外部接続端子の入出力の切り換えを制御する制御手段とを備える
ことを特徴とするテレビジョン装置。
【請求項２】
前記制御手段は、
前記選択手段が前記外部接続端子を選択したときにその外部接続端子が前記入力状態になるように前記入出力切換手段を制御し、
前記選択手段が前記受信手段を選択したときに前記外部接続端子が前記出力状態になるように前記入出力切換手段を制御すると同時に、その外部接続端子から出力される映像音声情報としてその外部接続端子以外から入力された映像音声情報あるいは予め格納されている映像音声情報を出力するように制御することを特徴とする請求項１に記載のテレビジョン装置。
【請求項３】
前記制御手段は、
前記選択手段が前記外部接続端子を選択したときにその外部接続端子が前記入力状態になるように前記入出力切換手段を制御し、
前記選択手段が前記受信手段を選択したときに前記外部接続端子が前記出力状態になるように前記入出力切換手段を制御すると同時に、その外部接続端子から出力される映像音声情報として前記受信手段が受信した映像音声情報を出力するように制御する  ことを特徴とする請求項１に記載のテレビジョン装置。
【請求項４】
メイン電源をオンオフさせるための電源キーと、
前記選択手段の現在の選択状態及び前記入出力切換手段の現在の入出力状態を示す情報を記憶する記憶手段とを有し、
前記制御手段は、前記電源キーによって前記メイン電源がオフされるとそのときの前記選択手段の選択状態と前記入出力切換手段の入出力状態を示す情報とを前記記憶手段に記憶し、その後、前記電源キーによって前記メイン電源が再度オンされると前記記憶手段に記憶された情報に基づいて前記選択手段による選択制御と同時に前記入出力切換手段による切換制御とを行う
ことを特徴とする請求項１乃至３のいずれかに記載のテレビジョン装置。
【請求項５】
外部の電子機器を接続することによりその電子機器との間で映像音声情報を伝送する第一及び第二の外部接続端子と、
前記第一又は第二の外部接続端子のいずれかを選択するための選択操作手段と、
前記選択操作手段による選択操作に応じ前記外部接続端子を選択制御する選択手段と、
前記選択手段によって選択された外部接続端子に入力された信号を処理する信号処理手段と、
信号処理された映像音声情報を出力するための出力手段とを有した
情報出力装置において、
前記外部接続端子に接続された前記電子機器へ映像音声情報を出力する出力状態と前記電子機器からの映像音声情報を入力する入力状態のいずれかの状態に前記外部接続端子を切り換える入出力切換手段と、
前記選択手段が前記第一又は第二の外部接続端子のいずれかを選択したかに応じ、前記入出力切換手段による前記第一の外部接続端子の入出力の切り換えを制御する制御手段とを備える
ことを特徴とする情報出力装置。
【請求項６】
前記制御手段は、
前記選択手段が前記第一の外部接続端子を選択したときにその第一の外部接続端子が入力状態になるように前記入出力切換手段を制御し、
前記選択手段が第二の外部接続端子を選択したときに前記第一の外部接続端子が出力状態になるように前記入出力切換手段を制御すると同時に、前記第一の外部接続端子から出力される映像音声情報としてその第一の外部接続端子以外から入力された映像音声情報あるいは予め格納されている映像音声情報を出力するように制御する
ことを特徴とする請求項５に記載の情報出力装置。
【請求項７】
メイン電源をオンオフさせるための電源キーと、
前記選択手段の現在の選択状態及び前記入出力切換手段の現在の入出力状態を示す情報を記憶する記憶手段とを有し、
前記制御手段は、前記電源キーによって前記メイン電源がオフされるとそのときの前記選択手段の選択状態と前記入出力切換手段の入出力状態を示す情報とを前記記憶手段に記憶し、その後、前記電源キーによって前記メイン電源がオンされると前記記憶手段に記憶された情報に基づいて前記選択手段による選択制御と同時に前記入出力切換手段による切換制御とを行う
ことを特徴とする請求項５又は６に記載の情報出力装置。
【発明の詳細な説明】
【技術分野】
【０００１】
本発明は、外部接続端子における電子機器に対する映像音声情報の入出力切換の設定を適切に行わせるテレビジョン装置に関する。
【背景技術】
【０００２】
近年のテレビジョン装置は、内蔵されたチューナからの所定の放送チャンネルの映像音声情報をディスプレイ及びスピーカから出力するといった基本機能に加え、複数の外部接続端子に接続されるいずれかの電子機器から取り込んだ映像音声情報をディスプレイ及びスピーカから出力したり、チューナ又は他の電子機器からの映像音声情報をいずれかの外部接続端子から出力することができるといったような機能が搭載されている。
【０００３】
ここで、外部接続端子には、ビデオ信号入力端子、Ｓ映像入力端子、ＡＶ入力端子、Ｄ端子、ＩＥＥＥ１３９４、ＵＳＢ端子、ＤＶＩ端子等がある。また、外部接続端子に接続される電子機器としては、たとえばビデオテープレコーダ、ＤＶＤプレーヤ、ＣＤプレーヤ、ＨＤＤプレーヤ、他のテレビ、他のモニター、外部スピーカ等がある。
【０００４】
通常、チューナからの映像音声情報、又は外部接続端子から取り込んだ映像音声情報をディスプレイ及びスピーカから出力する場合、リモコン等の操作によってチューナ又は外部接続端子に接続される電子機器の選択が行われる。また、チューナ又は他の電子機器からの映像音声情報をいずれかの外部接続端子から出力する場合には、リモコン等の操作によってこれらの映像音声情報の入出力の切り換えを指示するようになっている。
【０００５】
ところが、上述した外部接続端子が増えるに従い、チューナ又は各電子機器からの映像音声情報の入出力切換をリモコン等の操作によって指示しようとすると、チューナ又は外部接続端子に接続される電子機器の選択操作に加え、いずれかの外部接続端子における映像音声情報の入出力切換のための切換操作が必要となるため、これらの操作が極めて煩雑なものとなっている。
【０００６】
ちなみに、特許文献１では、画面上に各外部接続端子毎の入出力のいずれかを選択設定するためのメニューを表示し、その設定状態を予め記憶させ、選択された各外部接続端子を入力用又は出力用の端子として固定設定し、記憶された設定状態に従って、各外部接続端子のそれぞれを入力用又は出力用の専用端子として機能させるようにしたテレビジョンシステムを提案している。
【特許文献１】特開平２−１１７２８０号公報
【発明の開示】
【発明が解決しようとする課題】
【０００７】
ところが、特許文献１に示されたものは、各外部接続端子毎に入出力のいずれかを選択設定し、その設定状態を予め記憶させておくようにしているため、設定状態を変更したい場合、再度、画面上に各外部接続端子毎に入出力のいずれかを選択設定するためのメニューを表示して設定変更を行う必要があり、操作性が劣化してしまうという問題がある。
【０００８】
また、このような各外部接続端子毎の入出力の設定は、製品の出荷時に予め入力又は出力のいずれか一方に統一させた初期状態に設定され、各外部接続端子の使用に支障が来さないようになっているため、積極的に使用する環境がない場合、折角このような入出力切換設定の処理機能を設けたにも拘わらず、頻繁に使われるとは考えにくい。
【０００９】
このような場合、入出力切換設定の処理を行わせるための専用の操作キーを、たとえばリモコン上に設けることで、各外部接続端子毎の入出力の設定変更が容易となり、その設定変更の処理が積極的に利用されるものと考えられる。
【００１０】
ところが、リモコン上に各外部接続端子毎の入出力切換設定の処理を行わせるための専用の操作キーを設けても、上述したように、チューナ又は外部接続端子に接続される電子機器の選択操作に加え、いずれかの外部接続端子における映像音声情報の入出力切換のための切換操作が必要となるため、やはりこれらの操作が極めて煩雑なものとなってしまう。
【００１１】
解決しようとする問題点は、チューナからの映像音声情報、又は外部接続端子から取り込んだ映像音声情報をディスプレイ及びスピーカから出力する場合、リモコン等の操作によってチューナ又は外部接続端子に接続される電子機器の選択操作が必要となり、さらにチューナ又は他の電子機器からの映像音声情報をいずれかの外部接続端子から出力する場合には、リモコン等の操作によってこれらの映像音声情報の入出力の切り換えのための切換操作が必要となり、これらの操作が極めて煩雑なものとなってしまうという点である。
【課題を解決するための手段】
【００１２】
本発明のテレビジョン装置は、放送信号を受信して所定の放送チャンネルの映像音声情報を取り込む受信手段と、外部の電子機器を接続することによりその電子機器との間で映像音声情報を伝送する外部接続端子と、前記受信手段又は前記外部接続端子のいずれかを選択するための選択操作手段と、前記選択操作手段による選択操作に応じ前記受信手段又は前記外部接続端子を選択制御する選択手段と、前記選択手段によって選択された受信手段又は外部接続端子に入力された信号を処理する信号処理手段と、信号処理された映像音声情報を出力するための出力手段とを有したテレビジョン装置において、前記外部接続端子に接続された前記電子機器へ映像音声情報を出力する出力状態と前記電子機器からの映像音声情報を入力する入力状態のいずれかの状態に前記外部接続端子を切り換える入出力切換手段と、前記選択手段が前記受信手段又は前記外部接続端子のいずれかを選択したかに応じ、前記入出力切換手段による前記外部接続端子の入出力の切り換えを制御する制御手段とを備えることを特徴とする。
また、前記制御手段は、前記選択手段が前記外部接続端子を選択したときにその外部接続端子が前記入力状態になるように前記入出力切換手段を制御し、前記選択手段が前記受信手段を選択したときに前記外部接続端子が前記出力状態になるように前記入出力切換手段を制御すると同時に、その外部接続端子から出力される映像音声情報としてその外部接続端子以外から入力された映像音声情報あるいは予め格納されている映像音声情報を出力するように制御するようにすることができる。
また、前記制御手段は、前記選択手段が前記外部接続端子を選択したときにその外部接続端子が前記入力状態になるように前記入出力切換手段を制御し、前記選択手段が前記受信手段を選択したときに前記外部接続端子が前記出力状態になるように前記入出力切換手段を制御すると同時に、その外部接続端子から出力される映像音声情報として前記受信手段が受信した映像音声情報を出力するように制御するようにすることができる。
また、メイン電源をオンオフさせるための電源キーと、前記選択手段の現在の選択状態及び前記入出力切換手段の現在の入出力状態を示す情報を記憶する記憶手段とを有し、前記制御手段は、前記電源キーによって前記メイン電源がオフされるとそのときの前記選択手段の選択状態と前記入出力切換手段の入出力状態を示す情報とを前記記憶手段に記憶し、その後、前記電源キーによって前記メイン電源が再度オンされると前記記憶手段に記憶された情報に基づいて前記選択手段による選択制御と同時に前記入出力切換手段による切換制御とを行うようにすることができる。
本発明の情報出力装置は、外部の電子機器を接続することによりその電子機器との間で映像音声情報を伝送する第一及び第二の外部接続端子と、前記第一又は第二の外部接続端子のいずれかを選択するための選択操作手段と、前記選択操作手段による選択操作に応じ前記外部接続端子を選択制御する選択手段と、前記選択手段によって選択された外部接続端子に入力された信号を処理する信号処理手段と、信号処理された映像音声情報を出力するための出力手段とを有した情報出力装置において、前記外部接続端子に接続された前記電子機器へ映像音声情報を出力する出力状態と前記電子機器からの映像音声情報を入力する入力状態のいずれかの状態に前記外部接続端子を切り換える入出力切換手段と、前記選択手段が前記第一及び第二の外部接続端子のいずれかを選択したかに応じ、前記入出力切換手段による前記第一の外部接続端子の入出力の切り換えを制御する制御手段とを備えることを特徴とする。
また、前記制御手段は、前記選択手段が前記第一の外部接続端子を選択したときにその第一の外部接続端子が入力状態になるように前記入出力切換手段を制御し、前記選択手段が第二の外部接続端子を選択したときに前記第一の外部接続端子が出力状態になるように前記入出力切換手段を制御すると同時に、第前記一の外部接続端子から出力される映像音声情報としてその第一の外部接続端子以外から入力された映像音声情報あるいは予め格納されている映像音声情報を出力するように制御するようにすることができる。
また、メイン電源をオンオフさせるための電源キーと、前記選択手段の現在の選択状態及び前記入出力切換手段の現在の入出力状態を示す情報を記憶する記憶手段とを有し、前記制御手段は、前記電源キーによって前記メイン電源がオフされるとそのときの前記選択手段の選択状態と前記入出力切換手段の入出力状態を示す情報とを前記記憶手段に記憶し、その後、前記電源キーによって前記メイン電源がオンされると前記記憶手段に記憶された情報に基づいて前記選択手段による選択制御と同時に前記入出力切換手段による切換制御とを行うようにすることができる。
本発明のテレビジョン装置では、入出力切換手段により、外部接続端子に接続された電子機器へ映像音声情報を出力する出力状態と電子機器からの映像音声情報を入力する入力状態のいずれかの状態に切り換えられるとき、選択手段が受信手段又は外部接続端子のいずれかを選択したかに応じ、入出力切換手段による外部接続端子の入出力の切り換えを制御することができる。
【発明の効果】
【００１３】
本発明のテレビジョン装置によれば、入出力切換手段により、外部接続端子に接続された電子機器へ映像音声情報を出力する出力状態と電子機器からの映像音声情報を入力する入力状態のいずれかの状態に切り換えられるとき、選択手段が受信手段又は外部接続端子のいずれかを選択したかに応じ、入出力切換手段による外部接続端子の入出力の切り換えを制御することができ、外部接続端子における入出力の切り換えの操作を省くことができる。
【発明を実施するための最良の形態】
【００１４】
本実施形態では、入出力切換手段により、外部接続端子に接続された電子機器へ映像音声情報を出力する出力状態と電子機器からの映像音声情報を入力する入力状態のいずれかの状態に切り換えられるとき、選択手段が受信手段又は外部接続端子のいずれかを選択したかに応じ、入出力切換手段による外部接続端子の入出力の切り換えを制御するようにし、ユーザが外部接続端子における入出力の切り換えの操作を敢えて行わなくてもよいようにした。
【００１５】
以下、本発明の実施の形態について説明する。
図１は、本発明のテレビジョン装置の一実施形態を示すブロック図、図２及び図３は、図１のテレビジョン装置における入出力切換制御を説明するための図である。
【００１６】
図１に示すように、テレビジョン装置は、チューナ２、外部接続端子（Ａ）３、外部接続端子（Ｂ）４、入出力切換部５、セレクタ６、映像音声処理部７、出力部８、制御部９、操作部１０、受光部１２、記憶部１３を備えている。
【００１７】
受信手段としてのチューナ２は、アンテナ１で受信した放送信号からユーザが選択操作する選択操作手段としての操作部１０又はリモコン１１からの選択指示に応じた所定の放送チャンネルの映像音声情報を抽出する。第一の外部接続端子としての外部接続端子（Ａ）３及び第二の外部接続端子としての外部接続端子（Ｂ）４は、映像音声用ケーブル及び／又は音声用ケーブルを介して電子機器を接続し、その電子機器に対する映像音声情報の入出力を行う。ここで、映像音声情報としては、チューナ２によって抽出された情報、電子機器からの情報、テレビジョン装置内部の図示しないメモリに予め格納されている情報等である。
【００１８】
またここで、電子機器としては、ビデオテープレコーダ、ＤＶＤプレーヤ、ＣＤプレーヤ、ＨＤＤプレーヤ、他のテレビ、他のモニター等がある。また、外部接続端子（Ａ）３及び外部接続端子（Ｂ）４は、外部スピーカに対して音声情報を出力することも可能である。なお、ここでは、２個の外部接続端子（Ａ）３及び外部接続端子（Ｂ）４を示しているが、その端子は１個であってもよいし、３個以上であってもよい。
【００１９】
入出力切換手段としての入出力切換部５は、制御部９による制御により、外部接続端子（Ａ）３の入出力を切り換える。なお、ここでは、入出力切換部５が外部接続端子（Ａ）３の入出力を切り換えるようになっているが、これに限らず、外部接続端子（Ｂ）４の入出力を切り換えるようにしてもよい。また、外部接続端子（Ａ）３及び外部接続端子（Ｂ）４に加え、さらに複数の外部接続端子がある場合には、これらの外部接続端子の入出力を切り換えるようにしてもよい。入出力切換部５による切り換えの詳細については後述する。
【００２０】
選択手段としてのセレクタ６は、制御部９による制御により、チューナ２、外部接続端子（Ａ）３及び外部接続端子（Ｂ）４に接続される電子機器のいずれかからの映像音声情報を、ユーザが選択操作する操作部１０又はリモコン１１からの選択指示に応じて選択する。
【００２１】
映像音声処理部７は、制御部９による制御により、セレクタ６によって選択されたチューナ２又は電子機器からの映像音声情報を、出力部８から出力できるように処理する。出力部８は、ディスプレイ又はスピーカ等からなる。
【００２２】
制御手段としての制御部９は、操作部１０又はリモコン１１からの選択指示に応じて入出力切換部５による切換動作やセレクタ６による選択動作を制御したり、映像音声処理部７による処理動作を制御したりする。また、制御部９は、現在の制御状態を示す情報を数値として記憶部１３に記憶させる。
【００２３】
操作部１０は、チューナ２における選局操作、電子機器の選択操作、音量操作、画質操作等を行う際に操作されるものであり、複数の操作キーを有している。受光部１２は、リモコン１１からのチューナ２における選局操作、電子機器の選択操作、音量操作、画質操作等の選択指示を示す信号を受光する。記憶手段としての記憶部１３は、ＥＥＰＲＯＭ等からなり、制御部９による現在の制御状態を示す情報を数値として記憶する。
【００２４】
次に、図１のテレビジョン装置における映像音声情報の入出力切換に関わる制御について説明する。
【００２５】
まず、図２に示すように、テレビジョン装置のメイン電源が図示しない電源キーによりＯＮされると、制御部９により、先にメイン電源を切ったときの制御状態を示す情報が記憶部１３から読み出される（ステップＳ１）。次いで、制御部９により、記憶部１３から読み出された情報を元に、メイン電源がＯＮされる以前のときの制御状態となるようにセレクタ６の選択動作が制御される。
【００２６】
このとき、記憶部１３から読み出された制御状態を示す情報からセレクタ６が外部接続端子（Ａ）３に接続される電子機器を選択しているか否かが判断される（ステップＳ２）。そして、外部接続端子（Ａ）３に接続される電子機器が選択されていると判断された場合、外部接続端子（Ａ）３の入出力状態が入力状態に設定される（ステップＳ３）。この場合、制御部９による制御により、図３に示すように、入出力切換部５によって外部接続端子（Ａ）３がセレクタ６側に接続されるように切り換えられる。
【００２７】
これにより、セレクタ６が外部接続端子（Ａ）３に接続される電子機器を選択しているとき、外部接続端子（Ａ）３が自動的に入力用に設定されるので、ユーザが外部接続端子（Ａ）３における入出力切換の操作を行わなくても、外部接続端子（Ａ）３に接続される電子機器からの映像音声情報に対し、制御部９による制御により、映像音声処理部７での信号処理が行われ、ディスプレイ又はスピーカ等の出力部８から出力される。
【００２８】
これに対し、外部接続端子（Ａ）３に接続される電子機器が選択されていないと判断された場合は、外部接続端子（Ａ）３の入出力状態が出力状態に設定される（ステップＳ４）。この場合、図１に示すように、制御部９による制御により、セレクタ６によってチューナ２が選択されるとともに、入出力切換部５によって外部接続端子（Ａ）３がチューナ２側に接続されるように切り換えられる。
【００２９】
これにより、セレクタ６が外部接続端子（Ａ）３に接続される電子機器を選択していないとき、外部接続端子（Ａ）３が自動的に出力用に設定されるので、チューナ２からの映像音声情報がディスプレイ又はスピーカ等の出力部８から出力される。併せて、ユーザが外部接続端子（Ａ）３における入出力切換の操作を行わなくても、チューナ２からの映像音声情報が外部接続端子（Ａ）３に接続される電子機器に出力される。
【００３０】
よって、この外部接続端子（Ａ）３に接続された電子機器がたとえばビデオテープレコーダやＨＤＤプレーヤ等の記録装置の場合は、ディスプレイ及びスピーカに出力されたチューナ２からの映像音声情報がユーザによって視聴されると同時に、その記録装置に記録できるように信号出力することが可能になる。
【００３１】
なお、ここでは、チューナ２からの映像音声情報が外部接続端子（Ａ）３に接続された電子機器に出力される場合について説明したが、チューナ２からの映像音声情報に限らず、外部接続端子（Ｂ）４に接続される他の電子機器からの映像音声情報が同様にして外部接続端子（Ａ）３から出力されるようにしてもよい。
【００３２】
この場合、外部接続端子（Ａ）３に接続された電子機器に出力される映像音声情報を選択できる設定支援画面を表示させるオンスクリーン表示信号を記憶部１３に記憶させるようにしてもよい。これにより、その設定支援画面が呼び出されていずれかの電子機器が選択されたとき、その選択状態を示す情報を数値として記憶部１３に記憶させておくことで（指定書込）、外部接続端子（Ａ）３から出力されるいずれかの電子機器からの映像音声情報を自由に切り換えることが可能になる（ステップＳ５）。
【００３３】
また、設定支援画面で選択可能な電子機器としては、外部接続端子（Ａ）３以外の端子であればよく、たとえば地上波用チューナ、衛星放送用チューナ、ケーブルテレビ用チューナに加え、通常のビデオ信号入力端子、Ｓ映像入力端子、ＡＶ入力端子、Ｄ端子、ＩＥＥＥ１３９４、ＵＳＢ端子、ＤＶＩ端子等の外部接続端子に接続されるものとしてもよい。
【００３４】
また、設定支援画面には、これらの外部接続端子に接続される電子機器を敢えて選択しないようにするための非選択項目（たとえば『非選択』と表記）を表示して選択設定するようにしてもよい。また、その非選択項目は、複数の外部接続端子に対して選択設定できるようにしてもよい。
【００３５】
次いで、上述のように、制御部９により、記憶部１３から読み出した先にメイン電源を切ったときの制御状態を示す情報に基づいてのセレクタ６の選択動作と、入出力切換部５の外部接続端子（Ａ）３における入出力切換動作とが制御された後、操作部１０やリモコン１１からの選択指示があり（ステップＳ６）、さらにメイン電源がＯＦＦでなければ（ステップＳ７）、（ステップＳ２）に戻り、操作部１０やリモコン１１からの選択指示に従って、セレクタ６の選択動作と、入出力切換部５の外部接続端子（Ａ）３における入出力切換動作とが制御される。そして、（ステップＳ７）において、メイン電源がＯＦＦされると、制御部９により、現在のセレクタ６の選択動作の制御状態を示す情報が数値として記憶部１３に記憶され（ステップＳ８）、その後、メイン電源がＯＦＦとなる。
【００３６】
これにより、再度、メイン電源がＯＮされた場合には、制御部９により、記憶部１３に記憶されたセレクタ６の前の制御状態を示す情報に基づき、セレクタ６の選択動作と、入出力切換部５の外部接続端子（Ａ）３における入出力切換動作とが制御されるので、ユーザは前に選択した電子機器からの映像音声情報を視聴したいとき、操作部１０やリモコン１１からの選択指示を行うことなくその映像音声情報を視聴することができる。
【００３７】
このように、本実施形態では、操作部１０又はリモコン１１からの選択指示に応じてチューナ２により取り込まれた所定の放送チャンネルの映像音声情報、又は外部接続端子（Ａ）３、外部接続端子（Ｂ）４のいずれかに接続された電子機器からの映像音声情報を出力部８から出力するようにし、さらに制御部９により、操作部１０又はリモコン１１からのチューナ２又は他の電子機器の選択指示に応じてセレクタ６によるチューナ２及び他の電子機器のいずれかを選択する選択動作と、入出力切換部５による外部接続端子（Ａ）３の入出力を切り換える入出力切換動作とを制御するようにしたので、ユーザが外部接続端子（Ａ）３の入出力切換の操作を敢えて行わなくてもよいようにすることができる。
【００３８】
また、本実施形態では、セレクタ６が外部接続端子（Ａ）３に接続される電子機器を選択していないとき、外部接続端子（Ａ）３の入出力状態が出力状態に設定されるようにしたので、この外部接続端子（Ａ）３に接続された電子機器がたとえばビデオテープレコーダやＨＤＤプレーヤ等の記録装置の場合は、ディスプレイ及びスピーカに出力されたチューナ２からの映像音声情報がユーザによって視聴されると同時に、その記録装置に記録できるように信号出力することができる。
【００３９】
また、本実施形態では、メイン電源がＯＦＦされるとき、制御部９により、現在のセレクタ６の選択動作の制御状態を示す情報を数値として記憶部１３に記憶させた後、メイン電源がＯＦＦされるようにしたので、不意にメイン電源が切れてしまっても、現在のセレクタ６の選択動作の制御状態を示す情報が数値として記憶部１３に記憶されることから、メイン電源再投入時にはチューナ２や他の電子機器の選択設定を行わずに以前の状態での視聴を行うことができる。
【産業上の利用可能性】
【００４０】
テレビジョン装置に限らず、ＰＤＡ等の携帯端末や、入出力される情報を記録できる記録手段を有する情報出力装置等にも適用することができる。
【図面の簡単な説明】
【００４１】
【図１】本発明のテレビジョン装置の一実施形態を示すブロック図である。
【図２】図１のテレビジョン装置における入出力切換制御を説明するためのフローチャートである。
【図３】図１のテレビジョン装置における入出力切換制御を説明するためのブロック図である。
【符号の説明】
【００４２】
１  アンテナ
２  チューナ
３  外部接続端子（Ａ）
４  外部接続端子（Ｂ）
５  入出力切換部
６  セレクタ
７  映像音声処理部
８  出力部
９  制御部
１０  操作部
１１  リモコン
１２  受光部
１３  記憶部
【図１】
2006020094.tif 000003
【図２】
2006020094.tif 000004
【図３】
2006020094.tif 000005